(57)【特許請求の範囲】
【請求項１】
矩形状の底板と、該底板の前後側縁に連設された前後の外側板と、該前後の外側板の左右側縁に連設された第１の補強舌片と、該前後の外側板の先端縁に連設された前後の内側板と、該前後の内側板の左右側縁に連設された第２の補強舌片と、該底板の左右側縁に連設された左右の外側板とを備えている段ボール板紙から包装箱を組み立てる包装箱の組立用治具であって、
前記底板を支持する座部と、該座部の前後側に互いに対向して該座部の外周部に一体に起立して設けられ、前記前後の外側板を底板に対して起立する方向に案内して直角に折り曲げる前後側板起立案内部材と、前記座部の左右側に互いに対向して前記前後側板起立案内部材よりも高さが小とされて該座部の外周部に一体に起立して設けられ、前記左右の外側板を底板に対して起立する方向に案内して直角に折り曲げる左右側板起立案内部材と、該座部の外周部の四隅部に一体に起立して設けられ、前記左右側板起立案内部材による前記左右の外側板の折り曲げに先立って、各第１の補強舌片を内方に直角となる方向に案内して折り曲げると共に、該第１の補強舌片の折り曲げに伴って前記左右の外側板と前記第２の補強舌片との間に介入して各第２の補強舌片を該前後の内側板の外方に案内し、前記前後側板起立案内部材によって起立された前記前後の外側板の上縁に連なって前記前後の内側板が起立した際に各第２の補強舌片を該前後の内側板の外方に所定の角度を存して折り曲げ保持する補強舌片折曲案内部材とが備えられ、
前記座部に、前記包装箱が形成されて該座部に着座する底板の下方の少なくとも一部を開放して手指を挿入自在とする開放部が備えられていることを特徴とする包装箱の組立用治具。
【請求項２】
請求項１記載の包装箱の組立用治具において、
前記前後側板起立案内部材の相互に対向し合う側の上部を切り欠いて、前記前後の内側板を前記前後の外側板に対して起立する方向に案内して折り曲げる内側板折曲案内部と、該前後の外側板を前記座部より上方で支持する支持部とが形成されていることを特徴とする包装箱の組立用治具。
【請求項３】
請求項１または２記載の包装箱の組立用治具において、
前記補強舌片折曲案内部材は、前記座部に着座する前記底板の角部に対向する一側端縁に各第１の補強舌片をその折り曲げ方向に案内する側面視円弧状に形成された第１案内部と、前記座部に着座する前記底板の前後側縁に対して傾斜して設けられた一側壁面に各第２の補強舌片をその折り曲げ方向に案内する第２案内部とを備える厚板状のブロックを立設して形成されていることを特徴とする包装箱の組立用治具。
【発明の詳細な説明】
【０００１】
【発明の属する技術分野】
本発明は、包装箱の組み立て作業を行う際に使用する組立用治具に関する。
【０００２】
【従来の技術】
例えば、苺やトマト等の農産物は、生産者によって包装箱への収納作業が行われて出荷される。苺やトマト等を収納する包装箱は、トレー状の箱本体の四隅上部に水平に張り出す、或いは、左右側壁に沿った上部に水平に張り出す桟が設けられた所謂桟付き包装箱が一般に使用されている。この種の桟付き包装箱は、大略矩形状に打ち抜き形成された段ボール板紙を組み立てることで形成される。
【０００３】
即ち、この種の桟付き包装箱の組み立て作業を詳しく説明すれば、先ず、矩形状の底板の前後に連設された外側板を起立させる。前後の外側板の左右には第１の補強舌片が連設されているので、これらの第１の補強舌片を前後の外側板に対して直角に内方に折り曲げておく。次いで、底板の左右に連設された外側板を起立させて、第１の補強舌片の外側面に重合させる。左右の外側板の上端には桟が連設され、桟の前後方向の一側には後述の係止爪片が突設されている。
【０００４】
一方、前後の外側板の上端には、外側板と略同形の内側板が連設されており、起立状態の前後の外側板の上方に一体に起立される。前後の内側板の左右には第１の補強舌片に隣接して第２の補強舌片が連設されている。このため、前後の外側板と左右の外側板とを共に起立させたときには、第２の補強舌片と係止爪片とが互いに干渉する。そこで、作業者は、各第２の補強舌片を外側に折り曲げて予め折り癖を付けると共に係止爪片との干渉を避けつつ、前後の内側板を内側に折り返す。これによって、底板の前後側には外側板と内側板とによって二重に構成された強度の高い側壁が形成される。同時に、第２の補強舌片は第１の補強舌片の内側に重合し、底板の左右側には外側板、第１の補強舌片及び第２の補強舌片により三重に構成された強度の高い側壁が形成される。その後、桟を内側に水平に折り曲げ、係止爪片を底板の前後に起立する外側板と内側板との境界の一部に形成された係止穴に挿入して該包装箱の組み立てが完了する。
【０００５】
以上の組み立て作業は、苺やトマト等の生産者によって手作業で行われ、極めて煩わしい作業となっている。
【０００６】
そこで、例えば、特開平９−２３９８７０号公報に見られるような組立用治具を使用して、包装箱を組み立てることが考えられる。この組立用治具は、底板を支持する座部と、座部を介して左右側に設けられた左右の外側板を起立させる第１の部材と、座部を介して前後側に設けられ、左右の外側板に先立って前後の外側板を起立させる第２の部材とを備え、更に、前後の外側板を起立させるに先立って第１の補強舌片を内方（折り曲げ初期では上方）に折り曲げるために設けられた第３の部材を備えている。第３の部材は、第２の部材より高さが高く突出して設けられており、第２の部材は、第１の部材より高さが高く突出して設けられている。これによって、底板を座部に向かって水平に押し下げるだけで、まず、第１の補強舌片が第３の部材に当接されて内方に折り曲げられ、次に前後の外側板が第２の部材に当接して起立され、続いて左右の外側板が第１の部材に当接して起立される。底板を押し下げるだけで、一挙動のうちに左右の外側板を起立させることができ、包装箱の組み立て作業を容易に行うことができる。
【０００７】
しかし、前記組立用治具は、前後の内側板及び第２の補強舌片が設けられていない包装箱については支障無く組み立てることができるが、前後の内側板及び第２の補強舌片が設けられた包装箱を組み立てようとすると、例えば、前後の外側板を起立させる際に、第１の補強舌片を折り曲げるため設けられた第３の部材が第２の補強舌片に突き当たり、円滑な組み立て作業を行えない。
【０００８】
【発明が解決しようとする課題】
かかる背景に鑑みて本発明は、前後の外側板に連設された内側板及び内側板の左右縁に連設された補強舌片を備える包装箱を容易に組み立てることができ、しかも極めて構造が簡単な包装箱の組立用治具を提供することを目的とする。
【０００９】
【課題を解決するための手段】
本発明は、矩形状の底板と、該底板の前後側縁に連設された前後の外側板と、該前後の外側板の左右側縁に連設された第１の補強舌片と、該前後の外側板の先端縁に連設された前後の内側板と、該前後の内側板の左右側縁に連設された第２の補強舌片と、該底板の左右側縁に連設された左右の外側板とを備えている段ボール板紙から包装箱を組み立てる包装箱の組立用治具（以下「治具」という。）に関するものである。
【００１０】
前記課題を解決するため、本発明の治具は、前記底板を支持する座部と、該座部の前後側に互いに対向して該座部の外周部に一体に起立して設けられ、前記前後の外側板を底板に対して起立する方向に案内して直角に折り曲げる前後側板起立案内部材と、前記座部の左右側に互いに対向して前記前後側板起立案内部材よりも高さが小とされて該座部の外周部に一体に起立して設けられ、前記左右の外側板を底板に対して起立する方向に案内して直角に折り曲げる左右側板起立案内部材と、該座部の外周部の四隅部に一体に起立して設けられ、前記左右側板起立案内部材による前記左右の外側板の折り曲げに先立って、各第１の補強舌片を内方に直角となる方向に案内して折り曲げると共に、該第１の補強舌片の折り曲げに伴って前記左右の外側板と前記第２の補強舌片との間に介入して各第２の補強舌片を該前後の内側板の外方に案内し、前記前後側板起立案内部材によって起立された前記前後の外側板の上縁に連なって前記前後の内側板が起立した際に各第２の補強舌片を該前後の内側板の外方に所定の角度を存して折り曲げ保持する補強舌片折曲案内部材とが備えられ、前記座部に、前記包装箱が形成されて該座部に着座する底板の下方の少なくとも一部を開放して手指を挿入自在とする開放部が備えられていることを特徴とする。
前記構成の治具を用いて包装箱を組み立てるとき、まず、座部に向かって底板を水平に押し下げる。すると、第１の補強舌片が補強舌片折曲案内部材に当接して案内されることで前後の外側板に対して内方に折り曲げられる。また、補強舌片折曲案内部材が左右の外側板と第２の補強舌片との間に介入し、第２の補強舌片が補強舌片折曲案内部材に当接して案内されることで前後の内側板に対して外方に所定の角度を存して折り曲げられる。
【００１１】
前記構成の治具を用いて包装箱を組み立てるとき、まず、座部に向かって底板を水平に押し下げる。すると、第１の補強舌片が補強舌片折曲案内部材に当接して案内されることで前後の外側板に対して内方に折り曲げられる。また、補強舌片折曲案内部材が左右の外側板と第２の補強舌片との間に介入し、第２の補強舌片が補強舌片折曲案内部材に当接して案内されることで前後の内側板に対して外方に所定の角度を存して折り曲げられる。
【００１２】
さらに底板を押し下げると、前後の外側板が前後側板起立案内部材に当接して案内され、左右の外側板が左右側板起立案内部材に当接して案内されてそれぞれ底板に対して徐々に起立される。このとき、第１の補強舌片は、左右の外側板の内側に当接しており、左右の外側板が底板に対して徐々に起立することで前後の外側板に対してさらに内方に折り曲げられる。また、第２の補強舌片は補強舌片折曲案内部材に規制されることで前後の内側板に対して外方に折り曲げられた状態に維持される。
【００１３】
そして、底板を座部に着座させると、前後の外側板及び左右の外側板がそれぞれ底板に対して垂直に起立される。このとき、第１の補強舌片は前後の外側板に対して垂直に折り曲げられて左右の外側板の内側に重合される。続いて、前後の内側板を前後の外側板の内側に折り曲げて重合させ、第２の補強舌片を前後の内側板に対して折り曲げて第１の補強舌片の内側に重合させることで内容物の収容部が形成される。
【００１４】
以上のように前記構成の治具によれば、補強舌片折曲案内部材により第２の補強舌片が前後の内側板に対して外方に折り曲げられる。このため、底板を座部に着座させた後、前後の内側板が前後の外側板の内側に折り曲げられて重合されるとき、第２の補強舌片が補強舌片折曲案内部材により移動が規制される事態を防止することができる。従って、前後の内側板を折り返す作業を円滑に行うことができ、包装箱の組み立て作業を容易に行うことができる。前記構成の治具により組み立てられた包装箱は、その底板が前記座部に着座されて、各案内部材に周囲が包囲された状態で組み立てが完了される。このとき、開放部を設けることで、この開放部から座部上の包装箱の底板の下側に手指を挿入することができるので、組み立てられた包装箱を治具の内部から容易に取り出すことができる。
【００１５】
前記構成の治具において、前記前後側板起立案内部材の相互に対向し合う側の上部を切り欠いて、前記前後の内側板を前記前後の外側板に対して起立する方向に案内して折り曲げる内側板折曲案内部と、該前後の外側板を前記座部より上方で支持する支持部とが形成されていることが好ましい。
【００１６】
前記構成の治具によれば、まず、治具の座部に段ボール板紙の底板を水平に押し下げると、前後の内側板が、前後側板起立案内部材に形成された内側板折曲案内部に案内されて前後の外側板に対して内側に折り曲げられる。このとき、補強舌片折曲案内部材により、第１の補強舌片が前後の外側板の内方に折り曲げられ、第２の補強舌片が前後の内側板の外方に折り曲げられる。
【００１７】
さらに底板を押し下げると、前後の外側板が、前後側板起立案内部材に形成された支持部により座部より上方で支持される。この状態で、手作業により前後の内側板が前後の外側板の内側に折り曲げられて重合されるとともに、第２の補強舌片が第１の補強舌片に重合される。
【００１８】
続いて、底板を支持部より下方に押し下げると、前後の外側板が前後側板起立案内部材に案内されて底板に対して徐々に起立され、左右の外側板が左右側板起立案内部材に案内されて底板に対して徐々に起立される。このとき、重合された第１の補強舌片及び第２の補強舌片が左右の外側板の内側に当接し、左右の外側板が底板に対して徐々に起立されることで、重合された前後の外側板及び前後の内側板に対して徐々に内方に折り曲げられる。
【００１９】
そして、底板を基部に着座させると、前後の内側板が内側に重合された前後の外側板と、左右の外側板とがそれぞれ底板に対して垂直に起立される。このとき、重合された２つの補強舌片は、重合された前後の外側板及び前後の内側板に対して垂直に折り曲げられるとともに左右の外側板の内側に重合される。以上により包装箱の収容部が形成される。
【００２０】
以上のように前後側板起立案内部材に形成された内側板折曲案内部によって前後の内側板が前後の外側板に対して折り曲げられ折り癖がつけられる。このため、前後の内側板を前後の外側板に重合させる折り返し作業を円滑に行うことができる。また、前後の外側板が前後側板起立案内部材に形成された支持部により治具の座部より上方で支持される。このため、前後の外側板及び前後の内側板が重合されたとき、左右の外側板は底板に対して垂直に起立される前の状態にあり、重合された第１及び第２の補強舌片を左右の外側板の内側に位置させることができる。従って、その後に底部を治具の座部に着座させたときに２つの補強舌片を左右の外側板の内側に位置させた状態で、左右の外側板を底板に対して起立させる折り返し作業を円滑に行うことができる。
【００２１】
前記構成の治具において、前記補強舌片折曲案内部材は、前記座部に着座する前記底板の角部に対向する一側端縁に各第１の補強舌片をその折り曲げ方向に案内する側面視円弧状に形成された第１案内部と、前記座部に着座する前記底板の前後側縁に対して傾斜して設けられた一側壁面に各第２の補強舌片をその折り曲げ方向に案内する第２案内部とを備える厚板状のブロックを立設して形成されていることが好ましい。
【００２２】
補強舌片折曲案内部材を厚板状のブロックを採用することによって、第１の補強舌片の折り曲げ案内と第２の補強舌片の折り曲げ案内とが共に行える形状に補強舌片折曲案内部材を容易に形成することができる。即ち、一側端縁に各第１の補強舌片を案内する側面視円弧状に形成された第１案内部を設け、一側壁面に各第２の補強舌片を案内する第２案内部を設ける。そして、第２案内部が座部に着座する底板の前後側縁に対して傾斜するようにブロックを立設するだけで、第１の補強舌片の案内と第２の補強舌片の案内とが共に行える補強舌片折曲案内部材を設けることができ、極めて簡単な構造とすることができる。
【００２５】
【発明の実施の形態】
次に、本発明の治具の実施形態について図面を参照しながら説明する。図１は第１実施形態の治具をの説明的斜視図、図２は第１実施形態の治具の平面図、図３（ａ）は本発明の治具を使用して組み立てられる包装箱の一例を示す斜視図、図３（ｂ）は図３（ａ）に示した包装箱の展開図、図４及び図５は第１実施形態の治具による包装箱の組み立て工程の説明図、図６は第２実施形態の治具の説明的斜視図、図７は第２実施形態の治具による包装箱の組み立て工程の説明図、図８は他の実施形態の治具を示す説明的平面図である。
【００２６】
図１及び図２に示すように、第１実施形態の治具１は、平板状の基板２と、基板２上に立設されたブロック状の複数の案内部材３，４，５と、基板２に立設された棒状の位置決め部材６とによって構成されている。基板２において、各案内部材３，４，５によって包囲された矩形状の範囲（図中仮想線示する範囲）は後述する座部７とされている。
【００２７】
ここで、本実施形態の治具１によって組み立てを行う包装箱Ｗについて図４を参照して説明する。包装箱Ｗは、図３（ａ）に示すように、トレー状に形成されてその両側上部に張り出す桟８を備えた所謂桟付き包装箱である。
【００２８】
該包装箱Ｗは、図３（ｂ）に示すように、大略矩形状に打ち抜かれた段ボール板紙Ｘを組み立てることにより形成される。該段ボール板紙Ｘは、矩形状の底板９と、該底板９の前後側縁に折目線ａを介して連設された前後一対の外側板１０と、該底板９の左右側縁に折目線ｂを介して連設された左右一対の外側板１１とを備えている。前記前後の外側板１０の左右側縁には夫々第１の補強舌片１２が折目線ｃを介して連設されている。
【００２９】
更に、前記前後の外側板１０の夫々の先端縁には折目線ｄを介して内側板１３が連設されている。各内側板１３の左右側縁には夫々第２の補強舌片１４が折目線ｅを介して連設されている。前記内側板１３の先端縁の一部（略中央部）には係止突起１５が形成されている。
【００３０】
また、左右の外側板１１の夫々の先端縁には折目線ｆを介して桟８が連設されている。各桟８の左右側縁には、夫々前後方向に突出する係止爪片１６が形成されている。桟８はその先端側に図示するように湾曲形状に切り取られた凹部１７を備えている。凹部１７は、図３（ａ）に示すように、包装箱Ｗの内部をできるだけ大きく露出させて内容物の展示に適するように設けられているものであるが、本実施形態においては、更に、該凹部１７は、前記治具１の位置決め部材６に係合させる位置決め凹部として機能させる。
【００３１】
そして、前記底板９と前後の外側板１０との境界（折目線ａ）の一部には前記内側板１３の先端縁に設けられた係止突起１５と係合する係合穴１８が形成されており、前後の外側板１０と内側板１３との境界（折目線ｄ）の一部には前記桟８の両側端縁に設けられた係止爪片１６を挿入して係止する係止穴１９が形成されている。
【００３２】
以上のように構成される包装箱Ｗに対応させて図３を参照しつつ、図１及び図２に示す前記治具１について更に詳しく説明する。図１及び図２に示すように、座部７は包装箱Ｗの底部９の形状に対応している。案内部材３、４、５は、座部７を介して互いに前後方向に一対ずつ対向する四つの前後側板起立案内部材３と、座部７を介して互いに左右方向に一対ずつ対向する四つの左右側板起立案内部材４と、座部７の四隅部に設けられた四つの補強舌片折曲案内部材５とによって構成されている。図２に示すように、四つの補強舌片折曲案内部材５は、座部７に対して平面視放射状に傾斜する姿勢とされて設けられている。各案内部材３，４，５は、厚板状のブロック（例えば、木製や合成樹脂製の加工し易い材料）によって略同形状に形成されているが、夫々の高さ寸法が異なっている。
【００３３】
即ち、補強舌片折曲案内部材５は、図１に示すように、座部７に対向する側の上部に側面視円弧状の第１案内部２０が形成されている。第１案内部２０は各第１の補強舌片１２に摺接したとき、各第１の補強舌片１２をその折り曲げ方向に案内する。更に、補強舌片折曲案内部材５は、前後側板起立案内部材３に対向する側面に第２案内部２１を備えている。第２案内部２１は、補強舌片折曲案内部材５の姿勢が前述したように座部７に対して傾斜していることにより、各第２の補強舌片１４に摺接したとき、後述するように各第２の補強舌片１４をその折り曲げ方向である外方に案内する。
【００３４】
また、前後側板起立案内部材３は、座部７の前後側縁に直交する姿勢に設けられており、前後の外側板１０が水平状態から起立状態となるまで円滑に案内する側面視円弧状の起立案内部２２を備え、補強舌片折曲案内部材５よりも高さ寸法が低く形成されている。
【００３５】
左右側板起立案内部材４は、座部７の左右側縁に直交する姿勢に設けられており、左右の外側板１１が水平状態から起立状態となるまで円滑に案内する側面視円弧状の起立案内部２３を備え、前後側板起立案内部材３よりも高さ寸法が低く形成されている。
【００３６】
更にまた、基板２には、左右側板起立案内部材４の間に位置する前記座部７の左右側に長穴状に貫通する開放部２４が形成されている。
【００３７】
次に、第１実施形態の治具１による前記包装箱Ｗの組み立て工程を説明する。図４（ａ）に示すように、治具１の上に前記段ボール板紙Ｘを載置する。治具１の上に前記段ボール板紙Ｘを載置するときには、段ボール板紙Ｘの桟８に形成されている凹部１７を位置決め部材６に当接させる。これによって、段ボール板紙Ｘの底板９が座部７の直上位置に正確に対向させることができる。
【００３８】
次に、底板９を座部７に向かって押し下げると、底板９が座部７に着座するまでの間に、まず、図４（ｂ）に示すように各案内部材３、４、５のうち最も高さ寸法が大とされた補強舌片折曲案内部材５に第１の補強舌片１２が当接し、底板９の押し下げによって第１の補強舌片１２の折り曲げが開始される。そして、第１の補強舌片１２が折れ曲がることで、補強舌片折曲案内部材５が左右の外側板１１と第２の補強舌片１４との間に介入する。
【００３９】
続いて、図４（ｃ）に示すように補強舌片折曲案内部材５に次いで高さ寸法が大とされた前後側板起立案内部材３が前後の外側板１０を起立方向に折り曲げる。このとき、前後の外側板１０に連設されている内側板１３が前後の外側板１０と一体に起立する。次いで、各案内部材３，４，５のうち最も高さ寸法が小とされた左右側板起立案内部材４が左右の外側板１１を起立方向に折り曲げる。
【００４０】
第１の補強舌片１２は、左右の外側板１１の起立に先立って折り曲げられているので、左右の外側板１１の内面側に位置され、前後の外側板１０の起立動作に伴って前後の外側板１０に対して内方に直角に折り曲げられる。
【００４１】
同時に、内側板１３が起立するとき、第２の補強舌片１４は、第１の補強舌片１２を折り曲げ案内しつつ左右の外側板１１と第２の補強舌片１４との間に介入した補強舌片折曲案内部材５により、図４（ｃ）に示すように、内側板１３の外方に（第１の補強舌片１２と反対側に）折り曲げられ、この状態で、底板９が座部７に着座する。
【００４２】
続いて、図５（ａ）に示すように、前記内側板１３を手作業により前後の外側板１０の内面側に折り返す。このとき、前記第２の補強舌片１４は、内側板１３の外方に折り曲げられた状態で反転され、内側板１３の折り返し作業を阻止することなく極めて円滑に左右の外側板１１の内方に移動される。これにより、桟８が左右側に起立状態とされたトレー状の収容部Ｙが形成される。このとき、各外側板１０，１１が各案内部材３，４によって確実に起立状態が維持されているので、収容部Ｙがトレー状に開放され、収容部Ｙに図示しない苺やトマト等の内容物を収納することができる。
【００４３】
その後、図５（ｂ）に示すように、手作業により桟８を内方に水平に折り曲げると共に、各係止爪片１６を夫々対応する係止穴１９に挿入する（図３参照）。これにより、内容物が収納された包装箱Ｗ（図示は内容物が収納されていない状態を示す）が形成され、前記開放部２４を介して手指を該包装箱Ｗの底板９の下方に挿入して治具１の内部から該包装箱Ｗを取り出す。
【００４４】
以上のように、本実施形態の治具１を使用することにより、底板９を押し下げるだけの一挙動で、各外側板１０，１１を円滑に起立させると同時に第２の補強舌片１４に折り癖を付けることができ、それに続く手作業による内側板１３の折り返し作業が円滑に行えるので、包装箱Ｗを容易に組み立てることができる。
【００４５】
次に、本発明の第２実施形態の治具２５について説明する。治具２５は、治具１とほぼ同様の構成であり、同様の構成には同一の符号を使用する。治具２５は、図６に示すように前後側板起立案内部材３の相互に対向し合う側の上部が切り欠かれ、前後の内側板１３を前後の外側板１０に対して起立する方向に案内して折り曲げる内側板折曲案内部２６と、前後の外側板１０を座部７より上方で支持する支持部２７とが形成されている。また、前後側板起立案内部材３は補強舌片折曲案内部材５より高さが大とされ、その支持部２７は補強舌片案内部材５の上端より下方且つ座部７より上方に位置する。略円柱状の位置決め部材６に代えて、略矩形板状の一対の位置決め部材２８が基板２に立設されている。これ以外の構成については第１実施形態の治具１と同様であるので説明を省略する。
【００４６】
前記構成の治具２５による包装箱Ｗの組立工程について図７及び図８を用いて説明する。まず、段ボール板紙Ｘをその一方の桟８を位置決め部材２８に当接させることで位置決めした上で、底板９を水平に押し下げる。すると、図７（ａ）に示すように前後の内側板１３が、前後側板起立案内部材３に形成された内側板折曲案内部２６に案内されて前後の外側板１０に対して起立される。このとき、補強舌片折曲案内部材５により、第１の補強舌片１２が前後の外側板１０の内方に折り曲げられ、第２の補強舌片１４が前後の内側板１３の外方に折り曲げられる。そして、さらに底板９を押し下げると、前後の外側板１０が、前後側板起立案内部材３に形成された支持部２７により支持される。この状態で、手作業により図７（ｂ）に示すように前後の内側板１３が前後の外側板１０の内側に折り曲げられて重合されるとともに、第２の補強舌片１４が第１の補強舌片１２に重合される。
【００４７】
続いて、さらに底板９を支持部２７より下方に押し下げると、図７（ｃ）に示すように前後の外側板１０が前後側板起立案内部材３に案内されて底板９に対して徐々に起立され、左右の外側板１１が左右側板起立案内部材４に案内されて底板９に対して徐々に起立される。このとき、重合された第１の補強舌片１２及び第２の補強舌片１４が左右の外側板１１の内側に当接し、左右の外側板１１が底板９に対して徐々に起立されることで、重合された前後の外側板１０及び前後の内側板１３に対して徐々に内方に折り曲げられる。
【００４８】
そして、底板９を座部７に着座させると、図５（ａ）とほぼ同様に、前後の内側板１３が内側に重合された前後の外側板１０と、左右の外側板１１とがそれぞれ底板９に対して垂直に起立される。このとき、重合された２つの補強舌片１２、１４は、重合された前後の外側板１０及び前後の内側板１３に対して垂直に折り曲げられるとともに左右の外側板１１の内側に重合されている。これにより、桟８が左右側に起立状態とされたトレー状の収容部Ｙが形成され、収容部Ｙに図示しない苺やトマト等の内容物を収納することができる。
【００４９】
その後、第１実施形態と同様に手作業により桟８を内方に水平に折り曲げるとともに、各係止爪片１６を夫々対応する係止穴１９に挿入することで、内容物が収納された図３（ａ）に示す包装箱Ｗが形成される。そして、開放部２４を介して手指を包装箱Ｗの底板９の下方に挿入して治具１の内部から包装箱Ｗを取り出す。
【００５０】
以上のように前後側板起立案内部材３に形成された内側板折曲案内部２６によって前後の内側板１３が前後の外側板１０に対して折り曲げられ折り癖がつけられる。このため、前後の内側板１３を前後の外側板１０に重合させる折り返し作業を円滑に行うことができる。また、前後の外側板１０が支持部２７によって座部７より上方で支持される。このため、前後の外側板１０及び前後の内側板１３が重合されたとき、左右の外側板１１は底板９に対して垂直に起立される前の状態であり、重合された両補強舌片１２、１４を左右の外側板１１の内側に位置させることができる。従って、その後に底部９を座部７に着座させたときに２つの補強舌片１２、１４を左右の外側板１１の内側に位置させた状態で、左右の外側板１１を底板９に対して起立させる折り返し作業を円滑に行うことができる。
【００５１】
なお、前記２つの実施形態の治具１による組み立ては、図３（ａ）及び図３（ｂ）に示す包装箱Ｗに限られるものではなく、前述した構成の補強舌片折曲案内部材５を備えることで、第２の補強舌片１４を備えてトレー状に形成される他の図示しない包装箱をも容易に組み立てることができる。
【００５２】
また、前記２つの実施形態の治具１、２５においては、図２、図６に示すように基板２を貫通する穴によって開放部２４を形成したが、他の実施形態として図８に示すように支持部材２９を介して間隔を存して互いに連結された一対の基板３０上に案内部材３、４、５を設けて治具３１を構成してもよい。これにより両基板３０の間に開放部３２が形成され、座部７の下方に手指を容易に挿入することができる。しかも、一対の基板３０によって座部７を形成することで、単一の板状に座部７を形成した場合に比べて治具を軽量化することができる。
【００５３】
また、図示しないが、前記２つの実施形態の治具１、２５においては、基板２の中央から分割自在又はヒンジ等を設けて折り畳み自在とし、治具１、２５が不使用とされた際や保管の際にコンパクトとすることができる。
【００５４】
更に、図示しないが、前記２つの実施形態の治具１、２５において、包装箱Ｗの底板９の大きさに応じて、各案内部材３、４、５の間隔が調整できるように移動自在に設けておいてもよい。
【図面の簡単な説明】
【図１】本発明の第１実施形態の治具の説明的斜視図。
【図２】本発明の第１実施形態の治具の平面図。
【図３】図３（ａ）は本発明の治具を使用して組み立てられる包装箱の一例の斜視図
図３（ｂ）は図３（ａ）に示した包装箱の展開図
【図４】本発明の第１実施形態の治具による包装箱の組み立て工程の説明図
【図５】本発明の第１実施形態の治具による包装箱の組立工程の説明図
【図６】本発明の第２実施形態の治具の説明的斜視図
【図７】本発明の第２実施形態の治具による包装箱の組み立て工程の説明図
【図８】他の実施形態の治具を示す説明的平面図。
【符号の説明】
Ｗ‥包装箱、Ｘ‥段ボール板紙、１、２５、３１‥組み立て用治具、３‥前後側板起立案内部材、４‥左右側板起立案内部材、５‥補強舌片折曲案内部材、７‥座部、９‥底板、１０‥前後の外側板、１１‥左右の外側板、１２‥第１の補強舌片、１３‥内側板（前後の内側板）、１４‥第２の補強舌片、２０‥第１案内部、２１‥第２案内部、２４、３２‥開放部
【図１】
0004491086.tif 000002
【図２】
0004491086.tif 000003
【図３】
0004491086.tif 000004
【図４】
0004491086.tif 000005
【図５】
0004491086.tif 000006
【図６】
0004491086.tif 000007
【図７】
0004491086.tif 000008
【図８】
0004491086.tif 000009